(57)【要約】      （修正有）【課題】多くの異なる状態をとることができるか、或いは多くの異なるオペレーティングモードを可能にでき、単純な方法で少なくとも１つの入力によって選択できる電子回路を提供する。【解決手段】電子回路構成の状態を選択するための、少なくとも１つの入力（８０；９０）および少なくとも１つの出力（１０；２０）を備える電子回路構成（３０）に関する。初期設定段階の間、電子回路構成（３０）は、特性信号を少なくとも１つの出力（１０；２０）に送信し、この特性信号を少なくとも１つの入力（８０；９０）に存在する信号と比較する。電子回路構成（３０）の状態は、比較の結果によって制御回路（８）により設定される。初期設定段階後、入力（８０；９０）および／または出力（１０；２０）は、その他の信号の入力または出力に用いることができる。【選択図】図１
2004166201.tif 000002
【特許請求の範囲】
【請求項１】
複数の選択可能な状態をとることができ、その時々のそ
れぞれの状態に対応する機能を実行でき、状態を選択する少なくとも１つの入力と、少なくとも１つの出力とを備える、電子回路構成または電子回路であって、
入力（８０；９０）に存在する信号を、出力（１０；２０）により出力される特性信号と比較できるコンパレータ（４；５；６；７）を備えることを特徴とする、
電子回路構成または電子回路。
【請求項２】
複数の出力（１０、２０）を備え、それぞれの場合に、ある特定の出力（１０、２０）において特性信号を出力でき、全特性信号は互いに異なっていることと、
複数の入力（８０、９０）に存在する信号を複数の出力（１０、２０）によって出力される信号と比較できることと、
を特徴とする、請求項１記載の電子回路構成。
【請求項３】
コンパレータ（４；５；６；７）は、入力（８０；９０）に存在する信号を、供給電位、特に低および高信号と比較できることを特徴とする、請求項１または２に記載の電子回路構成。
【請求項４】
複数の画成された状態のうちの１つをとり、その状態が、入力（８０；９０）または複数の入力（８０、９０）に存在する信号と、出力（１０；２０）によって出力される信号または複数の出力（１０、２０）によって出力される信号および／または供給電位との比較の結果に依存することを特徴とする、請求項１〜３の何れか一項に記載の電子回路構成。
【請求項５】
少なくとも１つの出力によって出力される信号がビットパターンであることを特徴とする、請求項１〜４の何れか一項に記載の電子回路構成。
【請求項６】
特性信号の出力、入力に存在する信号の比較、および電子回路構成のある特定の状態の設定が、初期設定段階中に行われることを特徴とする、請求項１〜５の何れか一項に記載の電子回路構成。
【請求項７】
初期設定段階後に電子回路構成（３０）の状態を設定する複数の入力（８０；９０）および／または複数の出力（１０；２０）が、電子回路構成（３０）の状態を設定するのに用いられる特性信号以外の信号の入力または出力に使用できることを特徴とする、請求項６記載の電子回路構成。
【請求項８】
回路構成（３０）の状態を設定できる制御回路（８）を備えることを特徴とする、請求項１〜７の何れか一項に記載の電子回路構成。
【発明の詳細な説明】
【開示内容】
【０００１】
本発明は、複数の選択可能な状態をとることができ、その時々のそれぞれの状態に対応する機能を実行でき、機能または状態を選択するための少なくとも１つの入力と、少なくとも１つの出力とを備える電子回路構成または電子回路に関する。
【０００２】
ＵＳ６，１８８，２７３Ｂ１から、集積回路のオペレーティングモードを選択するための接点を持つ集積回路は公知である。接点は、集積回路の２つの異なる供給電位のうちの１つへ交互に接続できる。集積回路は、接点に接続された制御装置を備え、２つの供給電位のどちらが接点に存在するかを検知し、前記制御装置は対応するオペレーティングモード信号を発生する。このように、集積回路の２つの異なるオペレーティングモードの間で選択することのみが可能である。
【０００３】
しかしながら、電子回路が２つ以上のオペレーティングモードをとることが可能であると仮定すると、例えばＵＳ６，１５７，０５１から公知であるように、オペレーティングモードを選択するための更なる入力を備えるか、または、入力と区別できることが不可欠な２つ以上の供給電位を与えるかのいずれかである必要がある。例えば、電子回路がＮ個の入力を備え、そのそれぞれが低電位または高電位のいずれかに設定できる場合、２Ｎ個の異なるオペレーティングモードが選択できる。しかしながら、電子回路が例えば、標準的ハウジングに、ユーザ固有の集積回路の形式で収納される場合、必要な入力数は、より大きくてより高価であり、それに応じたより多くの接続を持つハウジングを選択することによってのみ、多くの場合実現できる。更に供給電位を提供することもまた、高価である。
【０００４】
外部の接続に従って異なる状態をとるか、または異なるオペレーティングモードを可能にするような電子回路は、例えば或る性能または快適機能においてのみ異なるいくつかの可変要素を有する電気器具に好んで用いられる。というのも、そのような場合、全ての器具可変要素が、同じ電子回路、特に特定用途向け集積回路またはマイクロコントローラを装備でき、個々の性能または快適機能を、電子回路を外部に接続することによって作動できるからである。
【０００５】
本発明は、多くの異なる状態をとることができるか、或いは多くの異なるオペレーティングモードを可能にでき、単純な方法で少なくとも１つの入力によって選択できる電子回路構成を開示することを目的とする。
【０００６】
本発明による電子回路構成は、電子回路構成の状態を選択可能にすることによって、少なくとも１つの入力と少なくとも１つの出力とを備える。本願では、「入力」および「出力」という用語は常に、状態の選択に適した入力または出力を指す。本発明による電子回路構成が一つ以上の出力を備えた場合、少なくとも初期設定段階においては、それぞれ特性信号、好ましくはビットパターンをこれらの出力へ出力し、ここで、全ての出力信号は互いに異なる。本発明による電子回路構成が一つ以上の入力を備えた場合、少なくとも初期設定段階においては、入力で存在する信号を出力信号と比較する。電子回路構成がＮ個の入力とＭ個の出力を備えている場合、この場合はＭＮ個の種々の状態が設定できる。特に初期設定段階後には、入力および出力は更に、例えばそれ自体公知の方法で、全ての種類の信号を入力するか或いは出力するために用いることができる等、その他の目的にも用いることができる。
【０００７】
このように、本発明による電子回路構成の所望の状態は、電子回路構成の外部接続、例えば電子回路構成の少なくとも１つの出力と少なくとも１つの入力との間の接続の有無によって決定される。所望の状態は、比較の結果によって、電子回路構成により設定される。このように、特に多くの異なる状態を選択することが、以下で説明するように、容易に可能である。「初期設定段階」という用語は、例えば供給電圧が印加（パワーアップ）される際に電子回路構成を起動すること、或いはリセット後に再起動することを指し、またより一般的には、入力信号が特性出力信号と比較されて（必要であれば何度か順に）、所望の状態が設定される間の単数／複数のタイムセグメントを指す。
【０００８】
本発明による電子回路の好適な形態では、少なくとも初期設定段階の間は、入力で存在する信号が、電子回路構成の供給電位、特に低および／または高信号、および／または、出力により出力される特性信号と比較される。電子回路構成がＮ個の入力とＭ個の出力を備え、かつＬ個の供給電位が利用可能であれば、（Ｌ＋Ｍ）Ｎ個の異なる状態が設定できる。
【０００９】
電子回路構成は、電子回路構成の各入力が接続される制御回路を備え、前記制御回路は、電子回路構成の所望の状態または所望の機能を設定する。これは例えば、電子回路構成に格納されたシーケンスプログラム内の分岐を制御するいわゆるフラグの設定や、例えば電子スイッチ等を制御することによる電子回路構成の一部の起動または停止を含んでいる。
【００１０】
以下に本発明を、２つの入力と２つの出力とを備える電子回路構成の具体例としての一実施の形態により説明し、単一の図において図式的に示す。更なる実施の形態は説明の中で与えられる。
【００１１】
図中に示す電子回路構成３０は、所定の時間におけるそれぞれの状態によって異なる機能を実行できる回路３を備えている。電子回路構成３０は、回路３の出力に接続される２つの出力１０、２０と共に、２つの入力８０、９０を備える。更に、電子回路構成３０は、２つの異なるビットパターンが格納される第１および第２のメモリ１、２と、４つのコンパレータ４、５、６、７と、コンパレータ４、５、６、７の出力に接続される制御回路８とを備える。電子回路構成３０の第１の入力８０は、コンパレータ４、５のそれぞれ一方の入力に接続されている。コンパレータ４の他方の入力は、第１メモリ１の出力に接続される一方で、コンパレータ５の他方の入力は、第２メモリ２の出力に接続されている。電子回路構成３０の他方の入力９０は、コンパレータ６、７のそれぞれ一方の入力に接続されている。コンパレータ６の他方の入力は、第１メモリ１の出力に接続される一方で、コンパレータ７の他方の入力は、第２メモリ２の出力に接続されている。第１および第２のメモリ１、２および制御回路８は、制御ライン９を介して回路３に接続されている。
【００１２】
以下に、本発明による電子回路構成の機能を簡単に説明する。
【００１３】
本発明による電子回路構成３０の初期設定段階、例えば、好ましくは供給電圧を印加（パワーアップ）することによる電子回路構成の起動時、またはリセット後の再起動時には、制御ライン９経由で、回路３は第１および第２のメモリ１、２と制御回路８を制御する。この後、メモリ１、２に格納されているビットシーケンスが読み出され、電子回路構成３０の出力１０、２０およびコンパレータ４、５、６、７へ伝達される。コンパレータ４、５、６、７は、電子回路構成３０の入力８０、９０に存在する信号をビットシーケンスと比較する。比較結果は、何らかの接続がある場合には、入力８０、９０のどちらが出力１０、２０のどちらに接続されているかによって決まる。比較結果は制御回路８に伝達され、制御回路８はそれらから制御信号を導き出し、制御信号は回路３に伝達され、回路３は電子回路構成３０の状態を決定する。このように、電子回路構成３０の外部接続により、電子回路構成３０が行うべき所望の機能が選択される。
【００１４】
本発明による電子回路構成の別の実施の形態では、各入力において、電子回路構成は、入力レベルをＬ個の供給電位と比較する少なくとも１つの追加コンパレータを備えている。追加コンパレータの出力はまた、制御回路にも接続されている。電子回路構成のある特定の入力に存在する入力レベルは、全ての供給電位および全てのビットパターンと比較され、また電子回路構成のある特定の出力は、できるだけ多くの異なる状態を選択できるよう電子回路構成の複数の入力に接続できることが望ましい。
【図面の簡単な説明】
【００１５】
【図１】電子回路構成３０を示す。
【符号の説明】
【００１６】
１  第１メモリ
２  第２メモリ
３  回路
４  コンパレータ
５  コンパレータ
６  コンパレータ
７  コンパレータ
８  制御回路
９  制御ライン
１０  出力
２０  出力
３０  電子回路構成
８０  入力
９０  入力
【図１】
2004166201.tif 000003
【外国語明細書】
2004166201.tif 000004
2004166201.tif 000005
2004166201.tif 000006
2004166201.tif 000007
2004166201.tif 000008
2004166201.tif 000009
2004166201.tif 000010
2004166201.tif 000011
2004166201.tif 000012
2004166201.tif 000013
2004166201.tif 000014
2004166201.tif 000015
2004166201.tif 000016
2004166201.tif 000017
2004166201.tif 000018
2004166201.tif 000019
2004166201.tif 000020
2004166201.tif 000021